(57)【要約】【課題】本発明は指紋認証方法に関し、認証データの項目により、副走査方向のセンサや検知機構が必要になってしまい、指紋画像入力装置の製作コストが嵩んでしまう点を解消することが課題とする。【解決手段】指紋画像入力装置における指紋画像データを２値化すると共に特徴点を抽出して認証項目のデータを作成してこれを記憶装置に登録し、個人の認証の際に前記登録された認証項目データと、認証対象の認証項目データとを比較する指紋認証方法において、前記認証項目が、主走査方向の特徴点を抽出する項目のみであるとした指紋認証方法とする。【選択図】図１
2005293397.tif 000002
【特許請求の範囲】
【請求項１】
指紋画像入力装置における指紋画像データを２値化すると共に特徴点を抽出して認証項目のデータを作成してこれを記憶装置に登録し、個人の認証の際に前記登録された認証項目データと、認証対象の認証項目データとを比較する指紋認証方法において、
前記認証項目が、主走査方向の特徴点を抽出する項目のみであること、
を特徴とする指紋認証方法。
【請求項２】
認証項目が、少なくとも、特徴点のある主走査方向のラインにおける分岐若しくは端点との種類と、基準点からの距離とであること、
を特徴とする請求項１に記載の指紋認証方法。
【請求項３】
指紋画像入力部と、該指紋画像入力部からの指紋画像データを２値化すると共に特徴点を抽出して認証項目のデータを作成する制御部と、前記認証項目のデータを記憶する記憶装置とを少なくとも備えて、個人の認証の際に前記登録された認証項目データと、認証対象の認証項目データとを前記制御部で比較してその判別結果を錠前装置，出力装置若しくは表示装置に伝達する指紋認証システムにおいて、
前記認証項目が、主走査方向の特徴点を抽出する項目のみであること、
を特徴とする指紋認証システム。
【発明の詳細な説明】
【技術分野】
【０００１】
本発明は、特定個人の認証に用いられる指紋認証方法において、指紋画像入力装置における指紋画像の特徴点抽出法を改良し、指紋照合の簡素化と前記指紋画像入力装置の低コストを達成する指紋認証方法に関するものである。
【背景技術】
【０００２】
従来、指紋認証方法では、指紋画像入力装置により、図３に示すように、人の指を指紋検知面上に当接させて所定の方向にスイープ（移動）させ、光源からの反射光を受光装置（ラインセンサ）でコントラストに応じて２値化して、これを画像データとして読み取る。前記指の移動については、図３（Ｂ），（Ｃ）に示すように、副走査方向（指移動方向）のローラー等の移動検知センサにより、前記指の移動量を検知する。これにより、前記ラインセンサによる主方向（横方向）の２値化した画像データと対応させて、図４に示すように、指紋画像データが得られる。そのほか、図３（Ａ）に示すように、ラインセンサを複数配置して、それぞれのラインデータの比較などを行い移動検知し、２次元（Ｘ−Ｙ）画像の比率を再現するものがある。また、指紋検出面上の指は動かさないで、光源及びセンサー等を副走査方向にステッピングモータ等の駆動装置で移動させて２次元画像を再現するるものもある。このようにして、指紋画像データを２次元画像として忠実に再現している。
【０００３】
前記指紋データが得られた後、この指紋データの特徴点を抽出して所定の認証項目のデータを作成し、これらを記憶装置に登録しておく。図４及び図５に示すように、画像データの中心点を基準として、例えば、特徴点の種類（端点や分岐点など），特徴点の方向，中心点からの距離をデータ化するものである。
【０００４】
そして、個人認証方法としては、前記認証項目のデータを比較することで行われることになる。このほか、指紋画像データを複数のブロックに分けて、その隆線方向をベクトル化して特徴点とするものが知られている。
【特許文献１】特開平９−１６７２２９号公報
【０００５】
しかしながら、前記画像データから特徴点として、特徴点の種類（端点や分岐点など），特徴点の方向，中心点からの距離をデータ化するには、リニアなラインセンサで取り込んだ２値化データを、縦／横（Ｘ，Ｙ）方向の比率を一定にして読み込まなければならない。そのため、副走査方向の指の移動量を検知するセンサ若しくは検知機構が必要となり、指紋画像入力装置が大きくなりコンパクト化できないとともに、装置の製作コストが嵩み、認証項目のデータ算出処理に複雑なプログラム処理が必要となって、プログラム作成にもコストが嵩むことになる。
【発明の開示】
【発明が解決しようとする課題】
【０００６】
解決しようとする問題点は、認証データの項目により、副走査方向のセンサや検知機構が必要になってしまい、指紋画像入力装置の製作コストが嵩んでしまう点である。
【課題を解決するための手段】
【０００７】
本発明に係る指紋認証方法の上記課題を解決するための要旨は、指紋画像入力装置における指紋画像データを２値化すると共に特徴点を抽出して認証項目のデータを作成してこれを記憶装置に登録し、個人の認証の際に前記登録された認証項目データと、認証対象の認証項目データとを比較する指紋認証方法において、前記認証項目が、主走査方向の特徴点を抽出する項目のみであること、である。
また、前記認証項目が、少なくとも、特徴点のある主走査方向のラインにおける分岐若しくは端点との種類と、基準点からの距離とであることを含むものである。
【０００８】
本発明に係る指紋認証システムの要旨は、指紋画像入力部と、該指紋画像入力部からの指紋画像データを２値化すると共に特徴点を抽出して認証項目のデータを作成する制御部と、前記認証項目のデータを記憶する記憶装置とを少なくとも備えて、個人の認証の際に前記登録された認証項目データと、認証対象の認証項目データとを前記制御部で比較してその判別結果を錠前装置，出力装置若しくは表示装置に伝達する指紋認証システムにおいて、前記認証項目が、主走査方向の特徴点を抽出する項目のみであることである。
【発明の効果】
【０００９】
本発明の指紋認証方法とそのシステムにより、主走査方向におけるラインデータにより認証するので、副走査方向の移動速度のデータが不要となって、データの蓄積領域が小さくなり、より多くの認証データを登録できるようになる。認証データの作成に要する手間も従来よりも省けるようになり、指紋画像の２次元化画像を効率的に作成できる。
また、副走査方向の検知装置が不要となって、認証シムテムにおける指紋画像入力装置が簡素化されて、低コストになるとともにコンパクトになる。
更に、ラインセンサを複数カ所に設置して副走査方向の比率を一定にしていた従来例に対して、部品点数の減少により低コストに抑えられる。
【発明を実施するための最良の形態】
【００１０】
本発明の目的を、指紋画像入力装置における指紋画像データを２値化すると共に特徴点を抽出して認証項目のデータを作成してこれを記憶装置に登録し、個人の認証の際に前記登録された認証項目データと、認証対象の認証項目データとを比較する指紋認証方法において、前記認証項目が、主走査方向の特徴点を抽出する項目のみであることにより達成するものである。
【００１１】
本発明に係る認証システム１（図示省略）は、認証する指の指紋を検知面に当接させ、その検知面に光を投射する投光装置と指紋面からの反射を受光する受光センサとからなる指紋画像入力部がある。そして、該指紋画像入力部からの指紋画像データを２値化すると共に特徴点を抽出して認証項目のデータを作成する制御部と、前記認証項目のデータを記憶する記憶装置と、個人の認証の際に前記登録された認証項目データと認証対象の認証項目データとを前記制御部で比較してその判別結果を伝達する錠前装置，出力装置若しくは表示装置とがある。
【００１２】
前記指紋画像入力部において、検知面に指をおいてスイープさせると、投光装置からの光が検知面の指紋に照射されて反射し、それが受光装置のラインセンサで受光され、前記制御部２において２値化されて、図１に示すように、連続した指紋画像データが作成される。
【００１３】
前記指紋画像入力部には、副走査方向の指移動を検知する検知装置は存在しない。主走査方向のラインセンサが存在するのみである。前記指紋画像データの２次元画像画像データが作成された後、各ラインデータにおいて、特徴点が存在するかを制御装置２における画像認識手段等で検証し、その特徴点が存在するラインだけを図１に示すように、抽出する。
【００１４】
前記特徴点は、例えば、主走査方向における指紋の分岐若しくは端点、基準からの主走査方向における距離、パターン（次に出現する特徴点の種類）などである。よって、副走査方向の特徴点は抽出しないので、そのような認証項目は存在しない。
【００１５】
前記特徴点について、具体的に図１及び図２を参照して説明する。まず、最初に、ポイントＰ１で分岐点が現れるので、ここを基準とする。よって、距離１（基準からの距離）は「０」である。次に、特徴点が現れるのは、ポイントＰ２の分岐点である。よって、パターン（次に出現する特徴点の種類）は「分岐」となり、距離２（次に出現する特徴点の横方向における基準からの距離）は−４３である。なお、距離の＋・−は、基準から左をマイナスとして、便宜的につけてある。
【００１６】
次の特徴点は、端点となっているポイントＰ３である。よって、パターンとしては「端点」となり、距離１と距離２は、−２８である。このように、特徴点が副走査方向の距離等に関係なく、主走査方向のラインデータに特徴点が存在する場合に、認証項目のデータとして抽出されるものである。そして、最後の特徴点の、ポイントＰ６において、その後に認証範囲が終了するので、パターンは「終了」となる。
【００１７】
前記主走査方向における、認証項目の各データを、図２に示すように、特定個人の認証データとして、所定の項目データ表に対応して表示するように表示用位置データとともに、若しくは、データの順を揃えて、記憶装置に記憶させて登録する。
【００１８】
そして、個人認証の際には、指紋画像入力装置からの画像データを２次元化して、特徴点のあるラインを抽出し、認証項目のデータを作成する。これを、前記記憶装置から特定個人の認証データと一致するものがあるか否かを検証し、例えば、一致したなら、ドア（図示せず）の錠前装置に「解錠」を制御装置から電気的に指示するものである。
【図面の簡単な説明】
【００１９】
【図１】本発明に係る指紋認証方法に係る説明図である。
【図２】同本発明の指紋認証方法における認証項目のデータを示す説明図である。
【図３】従来例に係る指紋画像入力装置における副走査方向の指の移動検知手段の説明図（Ａ），（Ｂ），（Ｃ）である。
【図４】指紋画像データを２次元画像に再現した説明図である。
【図５】特徴点をデータ化して認証項目の表にする説明図である。
【符号の説明】
【００２０】
１    指紋認証システム、
２    制御部。
【図１】
2005293397.tif 000003
【図２】
2005293397.tif 000004
【図３】
2005293397.tif 000005
【図４】
2005293397.tif 000006
【図５】
2005293397.tif 000007